(57)【要約】【課題】携帯電話機用クリーナーが汚れてクリーニング機能が低下した場合においても簡易かつ迅速にクリーニング機能を回復させることができ、液晶画面等の汚れを迅速に除去することができる携帯電話機用クリーナー及びその掃除具を得る。【解決手段】起毛素材からなるクリーナー面４が設けられた携帯電話機用クリーナー１と、クリーナー面４の汚れを掻き出す掻出部が設けられた掃除具２とを備えたので、前記起毛素材の起毛部分により携帯電話機の液晶画面等の汚れを効果的に除去することができる。また、掃除具２の前記掻出部により、クリーナー面４に付着した汚れを容易かつ確実に掻き出すことができるため、携帯電話機用クリーナー１のクリーニング機能を簡易かつ迅速に回復させることができる。【選択図】図１
0003124440.tif 000002
【実用新案登録請求の範囲】
【請求項１】
起毛素材からなるクリーナー面が設けられた携帯電話機用クリーナーと、前記クリーナー面の汚れを掻き出す掻出部が設けられた掃除具とを備えてなる携帯電話機用クリーナー及びその掃除具。
【請求項２】
前記携帯電話機用クリーナーを第１のマスコットとするとともに前記掃除具を第２のマスコットとし、前記第１のマスコットの形態と前記第２のマスコットの形態とに関連性を持たせてなる請求項１記載の携帯電話機用クリーナー及びその掃除具。
【請求項３】
前記掃除具により前記携帯電話機用クリーナーのクリーナー面を掃除する行為と前記第１のマスコット及び第２のマスコットから観念される行為との間に関連性を持たせてなる請求項２記載の携帯電話機用クリーナー及びその掃除具。
【請求項４】
起毛素材からなるクリーナー面が設けられた携帯電話機用クリーナーの掃除具であって、
前記クリーナー面の汚れを掻き出す掻出部を備えてなる携帯電話機用クリーナーの掃除具。
【考案の詳細な説明】
【技術分野】
【０００１】
本考案は、携帯電話機の液晶画面等の汚れを拭き取ることができる携帯電話機用クリーナー及びその掃除具並びに携帯電話機用クリーナーの掃除具に関するものである。
【背景技術】
【０００２】
携帯電話機の液晶画面等は、手指や耳等の皮膚に触れるため、皮脂や化粧品等により汚れやすく、特に液晶画面が汚れるとメール等の文字が見え難くなる。したがって、簡易かつ迅速に液晶画面等の汚れを拭き取る必要がある。このような機能を有する携帯電話機用クリーナーとして、マスコットに吊下紐を取り付けるとともに、そのマスコットの裏面に汚れ取り用生地を備えてなるもの（例えば、特許文献１参照。）、携帯電話機のストラップに取り付けるマスコット人形の底面や側面の一部に、油成分を拭き取ることができる布を貼り付けてなるもの（例えば、特許文献２参照。）等がある。ここで、前記汚れ取り用生地及び油成分を拭き取ることができる布としては、メガネ拭き等に広く使用されている、超極細繊維を用いてなる油膜の拭き取りに適したワイピングクロスが使用される。
【０００３】
【特許文献１】登録実用新案第３０８４０５０号公報
【特許文献２】登録実用新案第３０９３２４７号公報
【考案の開示】
【考案が解決しようとする課題】
【０００４】
上記のようなワイピングクロスを使用した携帯電話機用クリーナーでは、該ワイピングクロスが汚れると洗濯をしなければクリーニング機能が回復しないため、液晶画面等が汚れている場合に、該液晶画面等の汚れを拭き取ることができない場合があり、迅速に前記液晶画面等の汚れを除去することができないという問題点がある。
【０００５】
本考案は、このような課題を解決するためになされたものであり、携帯電話機用クリーナーが汚れてクリーニング機能が低下した場合においても簡易かつ迅速にクリーニング機能を回復させることができ、携帯電話の液晶画面等の汚れを迅速に除去することができる携帯電話機用クリーナー及びその掃除具並びに携帯電話機用クリーナーの掃除具を得ることを目的とする。
【課題を解決するための手段】
【０００６】
本考案に係る携帯電話機用クリーナー及びその掃除具は、前記課題解決のために、起毛素材からなるクリーナー面が設けられた携帯電話機用クリーナーと、前記クリーナー面の汚れを掻き出す掻出部が設けられた掃除具とを備えてなるものである。
【０００７】
ここで、前記携帯電話機用クリーナーを第１のマスコットとするとともに前記掃除具を第２のマスコットとし、前記第１のマスコットの形態と前記第２のマスコットの形態とに関連性を持たせてなると好ましい。
【０００８】
また、前記掃除具により前記携帯電話機用クリーナーのクリーナー面を掃除する行為と前記第１のマスコット及び第２のマスコットから観念される行為との間に関連性を持たせてなると好ましい。
【０００９】
本考案に係る携帯電話機用クリーナーの掃除具は、前記課題解決のために、起毛素材からなるクリーナー面が設けられた携帯電話機用クリーナーの掃除具であって、前記クリーナー面の汚れを掻き出す掻出部を備えてなるものである。
【考案の効果】
【００１０】
本考案に係る携帯電話機用クリーナー及びその掃除具によれば、起毛素材からなるクリーナー面が設けられた携帯電話機用クリーナーと、前記クリーナー面の汚れを掻き出す掻出部が設けられた掃除具とを備えてなるので、前記クリーナー面を構成する起毛素材の起毛部分により携帯電話機の液晶画面等の汚れを効果的に除去することができる。また、前記掃除具の掻出部により、前記クリーナー面に付着した汚れを容易かつ確実に掻き出すことができるため、前記携帯電話機用クリーナーのクリーニング機能を簡易かつ迅速に回復させることができる。さらに、前記携帯電話機用クリーナー及びその掃除具を一対として携帯電話機に取り付けておくことにより、これらが前記携帯電話機から分離して紛失し難く、それらを使用したい時に、容易かつ確実に使用することができる。
【００１１】
また、前記携帯電話機用クリーナーを第１のマスコットとするとともに前記掃除具を第２のマスコットとし、前記第１のマスコットの形態と前記第２のマスコットの形態とに関連性を持たせてなると、前記効果に加えて、前記携帯電話機用クリーナー及びその掃除具を携帯電話機に取り付けた状態において、これらのマスコットが携帯電話機の使用者やこれらのマスコットを目にする他人に対して興味を引くものとなるため、前記携帯電話機用クリーナー及びその掃除具の商品価値を高めることができる。
【００１２】
さらに、前記掃除具により前記携帯電話機用クリーナーのクリーナー面を掃除する行為と前記第１のマスコット及び第２のマスコットから観念される行為との間に関連性を持たせてなると、前記効果に加えて、前記掃除具により前記クリーナー面を掃除する行為が、携帯電話機の使用者や前記マスコットを目にする他人に対して興味を引くものとなるため、前記携帯電話機用クリーナー及びその掃除具の商品価値をさらに高めることができる。
【００１３】
さらにまた、本考案に係る携帯電話機用クリーナーの掃除具は、前記課題解決のために、起毛素材からなるクリーナー面が設けられた携帯電話機用クリーナーの掃除具であって、前記クリーナー面の汚れを掻き出す掻出部を備えてなるので、該掻出部により、前記携帯電話機用クリーナーのクリーナー面に付着した汚れを容易かつ確実に掻き出すことができるため、前記携帯電話機用クリーナーのクリーニング機能を簡易かつ迅速に回復させることができる。
【考案を実施するための最良の形態】
【００１４】
次に、本考案の実施の形態を添付図面に基づいて説明するが、本考案は、添付図面に示された形態に限定されず実用新案登録請求の範囲に記載の要件を満たす実施形態の全てを含むものである。
【００１５】
図１〜図３は本考案の実施の形態に係る携帯電話機用クリーナー及びその掃除具の構成を示す説明図であり、図１は全体構成を示す斜視図、図２（ａ）は携帯電話機用クリーナーの正面図、図２（ｂ）は側面図、図３は携帯電話機用クリーナーの掃除具の掻出部の説明図であり、図３（ａ）は斜視図、図３（ｂ）は凹凸形状の掻出部の縦断面図、図３（ｃ）はブラシ状の掻出部の縦断面図である。
【００１６】
図１及び図２に示すように、携帯電話機用クリーナー１は、基体３にクリーナー面４が設けられており、例えば、野球におけるホームベースをイメージしてなる形状の第１のマスコット１１とされる。また、図１及び図３に示すように携帯電話機用クリーナー１の掃除具２は、基体５に掃除体６が設けられており、例えば、野球におけるスパイクシューズをイメージしてなる形状の第２のマスコット１２とされる。そして、携帯電話機用クリーナー１及び携帯電話機用クリーナー１の掃除具２は、ストラップ９及び吊下紐１０，１０（チェーン等であってもよい）により、図示しない携帯電話機に取り付けて使用される。このように、携帯電話機用クリーナー１及びその掃除具２を一対として携帯電話機に取り付けておくことにより、これらが前記携帯電話機から分離して紛失し難く、それらを使用したい時に、容易かつ確実に使用することができる。
【００１７】
ここで、図１及び図２に示す携帯電話機用クリーナー１のクリーナー面４は、スエード若しくはベロア等の皮革又は起毛加工が施された布地等の起毛素材からなり、該起毛素材の起毛部分により携帯電話機の液晶画面等の汚れを効果的に除去することができる。
【００１８】
また、図１及び図３に示す携帯電話機用クリーナーの掃除具２の掃除体６は、例えば合成ゴムからなり、図３（ａ）及び（ｂ）に示すように、掃除体６の表面（スパイクシューズをイメージしてなる第２のマスコット１２の靴底面）には凹凸８Ａが形成されており、該凹凸８Ａが携帯電話機用クリーナー１のクリーナー面４の汚れを掻き出す掻出部７を構成している。
【００１９】
前記のとおり、携帯電話機用クリーナー１のクリーナー面４は起毛素材からなるため、液晶画面等の汚れの効果的な除去が可能となるが、クリーナー面４による前記液晶画面等の汚れの除去を続けると、該クリーナー面４の起毛部分に汚れが溜まるためクリーニング機能が低下する。しかし、携帯電話機には、携帯電話機用クリーナー１とともに携帯電話機用クリーナー１の掃除具２が取り付けられているため、該掃除具２の前記掻出部７により、クリーナー面４に付着した汚れを容易かつ確実に掻き出すことができる。したがって、携帯電話機用クリーナー１のクリーニング機能を簡易かつ迅速に回復させることができるため、携帯電話機用クリーナー１のクリーニング機能を長期間にわたって維持することができる。
【００２０】
なお、野球におけるスパイクシューズをイメージしてなる第２のマスコット１２である携帯電話機用クリーナーの掃除具２の掻出部７の形状は、図３（ａ）及び（ｂ）のような形状の凹凸８Ａに限定されるものではなく他の適宜形状の凹凸としてもよいし、図３（ｃ）に示すようにブラシ８Ｂにより掻出部７を構成してもよい。また、スパイクシューズの刃をイメージした突起を設けて掻出部７としてもよいし、櫛歯状の掻出部７としてよい。すなわち、掻出部７は、携帯電話機用クリーナー１の起毛素材からなるクリーナー面４の汚れを掻き出す機能を有するものであればよい。
【００２１】
前記のとおり、携帯電話機用クリーナー１を第１のマスコット１１とするとともに該携帯電話機用クリーナー１の掃除具２を第２のマスコット１２としており、第１のマスコット１１の形態（例えば野球におけるホームベース）と第２のマスコット１２の形態（例えば野球におけるスパイクシューズ）とに関連性を持たせている。したがって、携帯電話機用クリーナー１（第１のマスコット１１）及びその掃除具２（第２のマスコット１２）を携帯電話機に取り付けた状態において、これらマスコット１１，１２が該携帯電話機の使用者やこれらマスコット１１，１２を目にする他人に対しても興味を引くものとなっている。
【００２２】
さらに、前記掃除具２（例えば野球におけるスパイクシューズである第２のマスコット１２）により携帯電話機用クリーナー１（例えば野球におけるホームベースである第１のマスコット１１）のクリーナー面４を掃除する行為についても、野球のスパイクシューズでホームベースを踏む行為（スパイクシューズの底面でホームベースを擦る行為）と観念的な関連性がある。したがって、前記掃除具２により前記クリーナー面４を掃除する行為についても、携帯電話機の使用者やマスコット１１，１２を目にする他人に対して、より興味を引くものとなっている。
【００２３】
前記のとおり、携帯電話機用クリーナー１（第１のマスコット１１）は、前記掃除具２（第２のマスコット１２）により長期間にわたってクリーニング機能が維持されるため、長期間にわたって使用することができる。したがって、携帯電話機用クリーナー１（第１のマスコット１１）及び前記掃除具２（第２のマスコット１２）は、その長期間の使用によって、より愛着が深まるものとなる。
【００２４】
また、一対のマスコット１１，１２を携帯電話に吊り下げた状態、及び、前記掃除具２により携帯電話機用クリーナー１のクリーナー面４を掃除する行為が、長期間にわたって、使用者及び他人の興味を引くものであるため、携帯電話機用クリーナー１（第１のマスコット１１）及びその掃除具２（第２のマスコット１２）の商品価値をより高めることができる。
【００２５】
以上の説明においては、第１のマスコット１１の形態及び第２のマスコット１２の形態を、それぞれ野球のホームベース及びスパイクシューズとして関連性を持たせるようにしたが、第１のマスコット１１の形態及び第２のマスコット１２の形態を、それぞれ、野球のホームベース及びバット、野球の一塁ベース及びスパイクシューズ、野球のボール及びグラブ、サッカーのボール及びスパイクシューズ、アイスホッケーのパック及びスティック、アイスホッケーのスティック及びスケート靴、雪だるま及びスキー板、並びに、テニスのボール及びラケット等として、関連性を持たせることができる。
【００２６】
なお、第１のマスコット１１及び第２のマスコット１２の形態は、上記のようなスポーツの分野に限定されるものではなく、ホワイトボード及びイレイザー、硯及び筆、並びに、ノート及び消しゴム等の日用品等であってもよく、第１のマスコット１１の形態及び第２のマスコット１２の形態に関連性があるものであればよい。
【００２７】
また、前記のとおり、前記掃除具２により前記携帯電話機用クリーナー１のクリーナー面４を掃除する行為と、前記第１のマスコット１１及び第２のマスコット１２から観念される行為との間に関連性を持たせてなると、さらに商品価値が高まるため、より好ましい構成となる。
【００２８】
なお、携帯電話機用クリーナー１（第１のマスコット１１）と前記掃除具２（第２のマスコット１２）との間に関連性を持たせない構成としてもよい。すなわち、この場合は、前記関連性により生じる使用者等の興味はなくなるが、前記掃除具２により携帯電話機用クリーナー１のクリーナー面４に付着した汚れを容易かつ確実に掻き出すことができるため、携帯電話機用クリーナー１の機能を長期間にわたって維持することができる。
【図面の簡単な説明】
【００２９】
【図１】本考案の実施の形態に係る携帯電話機用クリーナー及びその掃除具の斜視図である。
【図２】携帯電話機用クリーナーの構成を示す図であり、（ａ）は正面図、（ｂ）は側面図である。
【図３】携帯電話機用クリーナーの掃除具の掻出部の説明図であり、（ａ）は斜視図、（ｂ）は凹凸形状の掻出部の縦断面図、（ｃ）はブラシ状の掻出部の縦断面図である。
【符号の説明】
【００３０】
１  携帯電話機用クリーナー
２  携帯電話機用クリーナーの掃除具
３  基体
４  クリーナー面
５  基体
６  掃除体
７  掻出部
８Ａ  凹凸
８Ｂ  ブラシ
９  ストラップ
１０  吊下紐
１１  第１のマスコット（野球のホームベース）
１２  第２のマスコット（野球のスパイクシューズ）
【図１】
0003124440.tif 000003
【図２】
0003124440.tif 000004
【図３】
0003124440.tif 000005